(57)【特許請求の範囲】
【請求項１】
板状部材差込み部が設けられたハウジングと、
該ハウジングに配列配置されて設けられ、配線板状部材が上記板状部材差込み部を通じて上記ハウジングに差し込まれたとき、該配線板状部材における複数の接触端子部に接触接続される複数のコンタクトと、
上記ハウジングに設けられ、配線板状部材が上記ハウジングに上記板状部材差込み部を通じて差し込まれたとき、該配線板状部材に対する係止を行う係止状態と上記係止を解除する係止解除状態とを選択的にとる係合部材と、
を備えて成り、
上記ハウジングが、該ハウジングにおける上記複数のコンタクトの配列方向の中央部分に貫通孔部が設けられたものとされ、
上記係合部材が、上記ハウジングにおける上記中央部分に配されて、上記ハウジングに固定される基部と該基部から伸びて上記貫通孔部に対応する位置に配される部分を有する可動アーム状部と上記基部から伸びて上記可動アーム状部に対向する可動屈曲部とを有し、
上記可動アーム状部に、上記板状部材差込み部を通じて上記ハウジングに差し込まれた配線板状部材における係合部に係合して上記配線板状部材を係止する係止部と、上記ハウジングにおける上記貫通孔部を通じて上記ハウジング内に配される押圧部材により押圧されたとき、上記係止部を伴って変位して上記係止部に上記配線板状部材に対する係止を解除する状態をとらせる係止解除部とが形成されており、上記可動屈曲部に、上記板状部材差込み部を通じて上記ハウジングに差し込まれた配線板状部材を上記板状部材差込み部側へと押圧すべく該配線板状部材に当接する当接部分が形成されていることを特徴とするコネクタ装置。
【請求項２】
上記係合部材が、金属板材料によって構成され、上記可動アーム状部及び上記可動屈曲部の夫々が弾性を具えていて上記ハウジングに対して弾性変位可能とされていることを特徴とする請求項１記載のコネクタ装置。
【請求項３】
上記係合部材において、上記係止部が上記板状部材差込み部を通じて上記ハウジングに差し込まれた配線板状部材を係止するとき、上記可動屈曲部が上記当接部分を押圧する上記配線板状部材によって圧縮変位せしめられることを特徴とする請求項１記載のコネクタ装置。
【請求項４】
上記可動屈曲部が上記配線板状部材によって圧縮変位せしめられたもとで、上記係止解除部が上記係止部に上記配線板状部材に対する係止を解除する状態をとらせるとき、上記可動屈曲部が伸長変位して上記配線板状部材を上記板状部材差込み部を通じて上記ハウジングから押し出すことを特徴とする請求項３記載のコネクタ装置。
【請求項５】
上記係止部が上記配線板状部材における係合部に係合したもとで、上記係合部材における上記係止解除部が、上記押圧部材によって押圧されたとき、上記係止部を伴って変位して上記係止部に上記係合部との係合を解除させることを特徴とする請求項１記載のコネクタ装置。
【請求項６】
上記ハウジングに設けられた上記貫通孔部が、上記ハウジングが有する一対の対向端面部のうちの一方における上記複数のコンタクトの配列方向の中央部分に形成された第１の透孔と、上記ハウジングが有する一対の対向端面部のうちの他方における上記複数のコンタクトの配列方向の中央部分に形成された第２の透孔とを含んで構成されることを特徴とする請求項１記載のコネクタ装置。
【請求項７】
上記可動アーム状部の上記部分が上記第２の透孔に対応する位置に配されるとともに、上記押圧部材が上記第１の透孔を通じて上記ハウジング内に配されるものとされ、該押圧部材によって押圧された上記係止解除部が上記第２の透孔内へと変位することを特徴とする請求項６記載のコネクタ装置。
【請求項８】
上記押圧部材が、上記ハウジングと一体に形成された可動部材とされていることを特徴とする請求項１記載のコネクタ装置。
【請求項９】
上記押圧部材が、上記ハウジングの一部から変位可能に伸びる操作部と、該操作部から突出して上記ハウジングに設けられた上記貫通孔部に位置する突起部とを有し、上記操作部に該操作部を上記ハウジングの内部に向かって押圧する操作が加えられるとき、上記突起部が上記貫通孔部を通じて上記ハウジング内を変位するものとされて上記係止解除部を押圧することを特徴とする請求項８記載のコネクタ装置。
【請求項１０】
上記貫通孔部が、上記ハウジングが有する一対の対向端面部のうちの一方における上記複数のコンタクトの配列方向の中央部分に形成された第１の透孔と、上記ハウジングが有する一対の対向端面部のうちの他方における上記複数のコンタクトの配列方向の中央部分に形成された第２の透孔とを含んで構成され、上記可動アーム状部の部分が上記第２の透孔に対応する位置に配されるとともに、上記押圧部材における突起部が上記第１の透孔を通じて上記ハウジング内を変位して上記係止解除部を押圧するものとされ、該突起部によって押圧された上記係止解除部が上記第２の透孔内へと変位することを特徴とする請求項９記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと装着された配線板状部材に対する係止及び係止解除を行う係止部及び係止解除部とを備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれたとき、その配線板状部材に設けられた複数の接触端子部に夫々対応するものとなる複数のコンタクトを備えている。
【０００４】
斯かる従来のコネクタ装置にあっては、配線板状部材が差込み部を通じてハウジングに差し込まれたとき、自動的に、ハウジング内に設けられた複数のコンタクトがハウジングに差し込まれた配線板状部材に設けられた複数の接触端子部に夫々接触接続され、配線板状部材が差込み部を通じてハウジングに適正に差し込まれるだけで、配線板状部材についての主配線基板との複数のコンタクトを介した電気的接続状態が得られる。
【０００５】
このような従来提案されているコネクタ装置にあっては、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、主配線基板に配されるハウジングを有し、ハウジングに配された複数のコンタクトを備えたコネクタ装置に属するものであって、ハウジングに差込み部を通じて差し込まれた配線板状部材に係合して、当該配線板状部材のハウジングからの不所望な抜脱の阻止に関与する係止手段を備えたコネクタ装置が従来提案されている（例えば、特許文献１参照。）。
【０００７】
特許文献１に示されるコネクタ装置（コネクタ(1))にあっては、ハウジング(11)における複数のコンタクト（第１端子(51)及び第２端子(61)) の配列方向の両側部(16)に、一対の取付用補強金具 (ネイル(81)）が夫々取り付けられている。そして、各取付用補強金具には、ハウジング(11)に差込み部（挿入口(33)) を通じて差し込まれた配線板状部材（平板状ケーブル(101))に設けられた係合部 (耳部(113))に係合する掛止部(83c))を有したケーブル保持部(83)が、配線板状部材を係止する係止手段として備えられている。また、ハウジング(11)における複数のコンタクトの配列方向の両側部(16)には、一対の係止解除手段（掛止解除部(21)) が、各々が係止手段を成すケーブル保持部(83)を変位させるものとして備えられている。各係止解除手段を成す掛止解除部(21)は、ハウジング(11)からその外部へと突出する操作部(23)を備えており、操作部(23)が操作されることにより、ケーブル保持部(83)を変位させる状態におかれる。
【０００８】
このような特許文献１に示されるコネクタ装置において、配線板状部材が差込み部を通じてハウジング(11)に差し込まれると、ハウジング(11)における複数のコンタクトの配列方向の両側部(16)に備えられた一対の係止手段を成すケーブル保持部(83)の夫々が、その掛止部(83c) を配線板状部材に設けられた係合部に係合させて配線板状部材を係止する。それにより、ハウジング(11)に差し込まれた配線板状部材が、ケーブル保持部(83)が成す係止手段によって係止され、ハウジング(11)からの不所望な抜脱が阻止される状態におかれる。
【０００９】
その後、ハウジング(11)における複数のコンタクトの配列方向の両側部(16)に備えられた一対の係止解除手段が、それらの夫々をなす掛止解除部(21)に設けられた操作部(23)に、例えば、押圧操作とされる操作が加えられて、それにより、係止手段を成すケーブル保持部(83)を変位させるものとされると、ケーブル保持部(83)の掛止部(83c))が配線板状部材に設けられた係合部に係合しなくなり、係止手段が配線板状部材を係止した状態が解除される。その結果、ハウジング(11)に差し込まれた配線板状部材がハウジング(11)から抜脱され得る状態におかれる。
【先行技術文献】
【特許文献】
【００１０】
【特許文献１】特開２０１０−３３９７８号公報（８〜１２頁，図８〜２１）
【発明の概要】
【発明が解決しようとする課題】
【００１１】
上述のような、ハウジングに差し込まれたフレキシブル印刷配線基板等の配線板状部材のハウジングからの不所望な抜脱の阻止に関与する係止手段を備えた、配線板状部材の主配線基板への取付けに用いられるコネクタ装置として従来提案されているものにあっては、主配線基板に配されるハウジングにおける複数のコンタクトの配列方向の両側部に、一対の係止手段が夫々設けられ、それに加えて、一対の係止解除手段が夫々設けられる。しかも、各係止手段と各係止解除手段とは、個別の部材をもって構成されている。従って、コネクタ装置を構成する部品点数の増加とコネクタ装置の構成の複雑化とがまねかれており、それらがコネクタ装置の製造コストを嵩ませる要因となっている。
【００１２】
また、差込み部を通じてハウジングに差し込まれた配線板状部材に対する一対の係止部材による係止を解除するにあたっては、ハウジングにおける複数のコンタクトの配列方向の両側部に夫々設けられた一対の係止解除手段を同時に操作することが必要とされ、それにより、配線板状部材についての係止解除が操作性に劣るものとされている。
【００１３】
さらに、ハウジングにおける複数のコンタクトの配列方向の両側部に夫々設けられた一対の係止手段により係止された配線板状部材に、一対の係止手段に不均等な力を及ぼすことになる“こじり”引抜き力が加えられるときには、一対の係止手段のうちの一方の配線板状部材に対する係止保持力が弱められてしまい、配線板状部材のハウジングからの不所望な抜脱が生じてしまう虞がある。
【００１４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングとハウジングに配列配置されて設けられる複数のコンタクトとを備えたコネクタ装置であって、従来提案されているコネクタ装置が備えるような一対の係止手段及び一対の係止解除手段を設けることが不要とされ、それにより、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行えることになるものを提供する。
【課題を解決するための手段】
【００１５】
本願の特許請求の範囲における請求項１から請求項１０までのいずれかに記載された発明（以下、本発明という。）に係るコネクタ装置は、板状部材差込み部が設けられたハウジングと、ハウジングに配列配置されて設けられ、配線板状部材が板状部材差込み部を通じてハウジングに差し込まれたとき、配線板状部材における複数の接触端子部に接触接続される複数のコンタクトと、ハウジングに設けられ、配線板状部材がハウジングに板状部材差込み部を通じて差し込まれたとき、配線板状部材に対する係止を行う係止状態と係止を解除する係止解除状態とを選択的にとる係合部材とを備えて構成される。そして、ハウジングが、それにおける複数のコンタクトの配列方向の中央部分に貫通孔部が設けられたものとされ、また、係合部材が、ハウジングにおける複数のコンタクトの配列方向の中央部分に配されて、ハウジングに固定される基部と基部から伸びて貫通孔部に対応する位置に配される部分を有する可動アーム状部と基部から伸びて可動アーム状部に対向する可動屈曲部とを有し、可動アーム状部に、板状部材差込み部を通じてハウジングに差し込まれた配線板状部材における係合部に係合して配線板状部材を係止する係止部と、ハウジングにおける貫通孔部を通じてハウジング内に配される押圧部材によって押圧されたとき、係止部を伴って変位して係止部に配線板状部材に対する係止を解除する状態をとらせる係止解除部とが形成されており、可動屈曲部に、板状部材差込み部を通じてハウジングに差し込まれた配線板状部材を板状部材差込み部側へと押圧すべく配線板状部材に当接する当接部分が形成されている。ハウジングにおける複数のコンタクトの配列方向の中央部分は、ハウジングにおける複数のコンタクトの配列方向の両端部に挟まれた部分であって、厳密な意味での中央とその周辺とを含む。
【００１６】
特に、本願の特許請求の範囲における請求項２に記載された本発明に係るコネクタ装置にあっては、係合部材が、金属材料によって構成され、可動アーム状部及び可動屈曲部の夫々が弾性を具えていてハウジングに対して弾性変位可能とされている。
【００１７】
また、本願の特許請求の範囲における請求項８に記載された本発明に係るコネクタ装置にあっては、押圧部材が、ハウジングと一体に形成された可動部材とされており、例えば、ハウジングが有する一対の対向端面部のうちの一方から変位可能に伸びる操作部と、操作部から突出してハウジングに設けられた貫通孔部に位置する突起部とを有し、操作部にそれをハウジングの内部に向かって押圧する操作が加えられるとき、突起部が貫通孔部を通じてハウジング内を変位して係止解除部を押圧する。
【００１８】
上述のような本発明に係るコネクタ装置にあっては、配線板状部材がハウジングにそれに設けられた板状部材差込み部を通じて差し込まれると、ハウジングに配列配置された複数のコンタクトが、差し込まれた配線板状部材における複数の接触端子部に接触接続されるとともに、ハウジングに設けられた係合部材が、ハウジング内において、差し込まれた配線板状部材を係止して配線板状部材に対する係止状態をとり、差し込まれた配線板状部材のハウジングからの不所望な抜脱を阻止する。その後、配線板状部材に対する係止状態をとる係合部材に所定の操作が加えられると、配線板状部材を係止していた係合部材が配線板状部材に対する係止状態を解除して、差し込まれた配線板状部材のハウジングからの抜出しを可能とする。そして、配線板状部材に対する係止状態を解除した係合部材は、配線板状部材を板状部材差込み部側へと押圧してハウジングから押し出す動作を行う。
【００１９】
斯かるもとで、係合部材が配線板状部材に対する係止状態をとる際には、係合部材における可動アーム状部に形成された係止部が、配線板状部材における係合部に係合して配線板状部材を係止する状態をとる。また、係合部材が配線板状部材に対する係止状態を解除する際には、係止部が配線板状部材を係止する状態をとるもとで、係合部材における可動アーム状部に形成された係止解除部が、ハウジングにおける貫通孔部を通じてハウジング内に配される押圧部材によって押圧されて係止部を伴って変位し、係止部に配線板状部材に対する係止を解除する状態をとらせる。さらに、係合部材が配線板状部材をハウジングから押し出す動作を行う際には、係合部材における可動屈曲部に形成された当接部分が配線板状部材に当接するとともに可動屈曲部の変位に伴って配線板状部材を板状部材差込み部側へと押圧し、それにより配線板状部材をハウジングから押し出す。
【００２０】
このようなもとで、係合部材は、例えば、本願の特許請求の範囲における請求項２に記載された本発明に係るコネクタ装置の場合のように、金属材料によって構成され、可動アーム状部及び可動屈曲部の夫々が弾性を具えていてハウジングに対して弾性変位可能とされる。
【００２１】
また、ハウジングにおける貫通孔部を通じてハウジング内に差し込まれる押圧部材は、例えば、本願の特許請求の範囲における請求項８に記載された本発明に係るコネクタ装置の場合のように、ハウジングと一体に形成された可動部材を成すものとされている。そして、ハウジングと一体に形成された押圧部材は、例えば、ハウジングが有する一対の対向端面部のうちの一方にから変位可能に伸びる操作部と、操作部から突出してハウジングに設けられた貫通孔部に位置する突起部とを有したものとされ、操作部にそれをハウジングの内部に向かって押圧する操作が加えられるとき、突起部が貫通孔部を通じてハウジング内を変位して係止解除部を押圧する。
【発明の効果】
【００２２】
本発明に係るコネクタ装置においては、上述のように、ハウジングにそれに設けられた板状部材差込み部を通じて差し込まれた配線板状部材に対しての、ハウジングからの不所望な抜脱を阻止するための係止、及び、ハウジングからの抜脱を可能とするための係止の解除を行うにあたり、例えば、ハウジングにおける複数のコンタクトの配列方向の両側部に設けられる一対の係止手段及び一対の係止解除手段等が不要とされ、それに代えて、ハウジングにおける複数のコンタクトの配列方向の中央部分に、ハウジングに差し込まれた配線板状部材に対する係止を行う係止状態と係止を解除する係止解除状態とを選択的にとる係合部材が配される。しかも、係合部材は、係止手段及び係止解除手段の両方の機能を果たす単一の部材とされる。ハウジングにおける複数のコンタクトの配列方向の中央部分とは、ハウジングにおける複数のコンタクトの配列方向の両端部に挟まれた部分であって、厳密な意味での中央とその周辺とを含む部分である。従って、本発明に係るコネクタ装置によれば、構成の簡略化と部品点数の減少とによる製造コストの低減を図ることができるもとで、ハウジングに板状部材差込み部を通じて差し込まれた配線板状部材に対するハウジングからの不所望な抜脱を阻止するための係止及びその係止の解除を、確実かつ容易に行うことができる。
【００２３】
しかも、係合部材は、配線板状部材に対する係止を解除する状態をとったときには、係止から解放された配線板状部材を板状部材差込み部側へと押圧してハウジングから押し出す動作も行う。それにより、本発明に係るコネクタ装置によれば、構成の簡略化と部品点数の減少とによる製造コストの低減を図ることができるもとで、ハウジングに板状部材差込み部を通じて差し込まれた配線板状部材のハウジングからの取り出しを極めて容易に行うことができる。
【００２４】
また、ハウジングに差し込まれた配線板状部材に対しての係止及び係止の解除を行う係合部材が、ハウジングに固定される基部と基部から伸びる可動アーム状部と基部から伸びて可動アーム状部に対向する可動屈曲部とを有していて、可動アーム状部に、板状部材差込み部を通じてハウジングに差し込まれた配線板状部材における係合部に係合して配線板状部材を係止する係止部と、ハウジングにおける貫通孔部を通じてハウジング内に配される押圧部材によって押圧されて係止部を伴って変位し、係止部に配線板状部材に対する係止を解除する状態をとらせる係止解除部とが形成されているとともに、可動屈曲部に、板状部材差込み部を通じてハウジングに差し込まれた配線板状部材を板状部材差込み部側へと押圧すべく配線板状部材に当接する当接部分が形成されている。それにより、本発明に係るコネクタ装置は、ハウジングに差し込まれた配線板状部材に対する係止を行う係止部と係止部による係止を解除する係止解除部とに加え、係止部による係止が解除された配線板状部材をハウジングから押し出すための当接部分が一体に形成された、簡単で容易に得ることができる構成を有することになる。
【００２５】
そして、このような本発明に係るコネクタ装置にあっては、配線板状部材をハウジングにそれに設けられた板状部材差込み部を通じて差し込むだけで、配線板状部材に対しての係合部材における係止部による係止を行うことができ、それとともに、配線板状部材に対しての係止部による係止の解除を、ハウジングにおける貫通孔部を通じてハウジング内に配される押圧部材によって係止解除部を押圧するだけで行うことができるので、配線板状部材に対しての係合部材による係止及び係止の解除を極めて簡単な操作によって行うことができるとともに、斯かる操作のために係合部材の周囲に格別なスペースを設けることが必要とされない。
【００２６】
特に、本願の特許請求の範囲における請求項２に記載された本発明に係るコネクタ装置にあっては、係合部材が、金属材料によって構成され、可動アーム状部及び可動屈曲部の夫々が弾性を具えていてハウジングに対して弾性変位可能とされるので、係合部材による、ハウジングに差し込まれた配線板状部材に対する係止部による係止，係止部による係止の解除、及び、係止部による係止が解除された配線板状部材のハウジングからの押出しが、迅速かつ確実に行われる。
【００２７】
さらに、本願の特許請求の範囲における請求項８に記載された本発明に係るコネクタ装置にあっては、ハウジングにおける貫通孔部を通じてハウジング内に配される押圧部材が、ハウジングと一体に形成された可動部材を成すものとされ、例えば、ハウジングが有する一対の対向端面部のうちの一方から変位可能に伸びる操作部と、操作部から突出してハウジングに設けられた貫通孔部に位置する突起部とを有したものとされ、操作部にそれをハウジングの内部に向かって押圧する操作が加えられるとき、突起部が貫通孔部を通じてハウジング内を変位して係止解除部を押圧するものとされる。それにより、押圧部材を含めて一体化されたハウジングが備えられることになり、押圧部材の押圧により配線板状部材に対しての係止部による係止を解除する操作が、極めて容易かつ確実に行い得るものとされる。
【図面の簡単な説明】
【００２８】
【図１】本発明に係るコネクタ装置の第１の例をそれに差込み係合せしめられる配線板状部材とされるフレキシブル印刷配線基板と共に示す斜視図である。
【図２】本発明に係るコネクタ装置の第１の例を示す平面図である。
【図３】本発明に係るコネクタ装置の第１の例を示す正面図である。
【図４】本発明に係るコネクタ装置の第１の例を示す底面図である。
【図５】本発明に係るコネクタ装置の第１の例にフレキシブル印刷配線基板が差込み係合された状態を示す斜視図である。
【図６】本発明に係るコネクタ装置の第１の例にフレキシブル印刷配線基板が差込み係合された状態を示す断面図である。
【図７】本発明に係るコネクタ装置の第１の例にフレキシブル印刷配線基板が差込み係合された状態を示す断面図である。
【図８】本発明に係るコネクタ装置の第１の例が備える係合部材を示す斜視図であ  る。
【図９】本発明に係るコネクタ装置の第１の例に対してフレキシブル印刷配線基板の差込み係合が開始された状態を示す断面図である。
【図１０】本発明に係るコネクタ装置の第１の例に差込み係合されたフレキシブル印刷配線基板が係合部材によって係止された状態を示す断面図である。
【図１１】フレキシブル印刷配線基板が差込み係合された本発明に係るコネクタ装置の第１の例におけるハウジング内に押圧部材が配された状態を示す断面図である。
【図１２】本発明に係るコネクタ装置の第２の例を示す斜視図である。
【図１３】本発明に係るコネクタ装置の第２の例に対してフレキシブル印刷配線基板が差込み係合の途中にある状態を示す断面図である。
【図１４】本発明に係るコネクタ装置の第２の例に差込み係合されたフレキシブル印刷配線基板が係合部材によって係止された状態を示す断面図である。
【図１５】フレキシブル印刷配線基板が差込み係合された本発明に係るコネクタ装置の第２の例におけるハウジング内に押圧部材が配された状態を示す断面図である。
【発明を実施するための形態】
【００２９】
本発明を実施するための形態は、以下に述べられる本発明についての実施例をもって説明される。
【実施例１】
【００３０】
図１は、本発明に係るコネクタ装置の第１の例とそれに差込み係合せしめられる配線板状部材の一例とを示す。また、図２（平面図），図３（正面図）及び図４（底面図）は、本発明に係るコネクタ装置の一例を示す。
【００３１】
図１〜図４において、本発明に係るコネクタ装置の第１の例を成すコネクタ装置１０は、合成樹脂等の絶縁材料によって形成されたハウジング１１を備えている。ハウジング１１には、その正面側端部に板状部材差込み部１２が設けられており、板状部材差込み部１２からハウジング１１の内部へと板状部材収容空間が伸びている。
【００３２】
ハウジング１１は、実際の使用時には、例えば、図示が省略されている配線基板に配され、それによりコネクタ装置１０の全体が配線基板に固定されたものとされる。その際、ハウジング１１における正面側端部とそれに対向する背面側端部とに挟まれた一対の対向端面部のうちの一方が配線基板に対接する外面部とされて他方が開放された外面部とされる。以下においては、配線基板に対接するハウジング１１の一対の対向端面部のうちの一方を底板部１１ａといい、それに対向するハウジング１１の一対の対向端面部のうちの他方を天板部１１ｂという。
【００３３】
そして、ハウジング１１の正面側端部に設けられた板状部材差込み部１２を通じて、配線板状部材の一例を成すフレキシブル印刷配線基板１３がハウジング１１に差し込まれる。フレキシブル印刷配線基板１３は、各々が導電材料によって形成された複数の第１の接触端子部１６と複数の第２の接触端子部１７とが交互に配列配置された平板状部１8 を有している。斯かるフレキシブル印刷配線基板１３の平板状部１８における第１及び第２の接触端子部１６及び１７の配列方向（以下端子配列方向という。）の中央部分に、係合部を成す透孔１９が形成されている。
【００３４】
複数の第１の接触端子部１６の夫々は、広幅先端部１６ａを有しており、また、複数の第２の接触端子部１７の夫々は、広幅先端部１７ａを有している。第１の接触端子部１６の広幅先端部１６ａと第２の接触端子部１７の広幅先端部１７ａとは、ハウジング１１に対するフレキシブル印刷配線基板１３の差込み方向の位置を異にするものとされている。即ち、第１の接触端子部１６の広幅先端部１６ａより第２の接触端子部１７の広幅先端部１７ａの方が、フレキシブル印刷配線基板１３の平板状部１８の端子配列方向に伸びる端縁部分に近接した位置に配されている。それにより、複数の第１及び第２の接触端子部１６及び１７の相互間隔を比較的小としたもとで、複数の広幅先端部１６ａ及び１７ａの夫々が端子配列方向の幅寸法を比較的大とすることができるものとされている。
【００３５】
平板状部１８に形成された透孔１９は、フレキシブル印刷配線基板１３における、後述されるコネクタ装置１０の係合部材における係止部が係合する係合部を構成している。なお、フレキシブル印刷配線基板１３における平板状部１８は、透孔１９に代えて、平板状部１８の端子配列方向に伸びる端縁部分側においてフレキシブル印刷配線基板１３の外部に通じる切抜き路を伴った切抜き部が設けられたものとされてもよい。
【００３６】
図５は、上述のようなフレキシブル印刷配線基板１３が、コネクタ装置１０のハウジング１１にその正面側端部に設けられた板状部材差込み部１２を通じて差し込まれて、コネクタ装置１０に差込み係合せしめられた状態を示す。斯かる際には、フレキシブル印刷配線基板１３における平板状部１８の端子配列方向に伸びる端縁部分が、コネクタ装置１０のハウジング１１の長手方向（正面に向かって左右方向）に沿うものとされる。即ち、端子配列方向がハウジング１１の長手方向に対して平行となるようにされるのである。
【００３７】
ハウジング１１には、各々が弾性導電材料で形成された複数の第１のコンタクト１４と複数の第２のコンタクト１５とが、ハウジング１１の長手方向に沿って、交互に配列配置されて設けられている。複数の第１のコンタクト１４及び複数の第２のコンタクト１５は、フレキシブル印刷配線基板１３に配列配置された複数の第１の接触端子部１６及び複数の第２の接触端子部１７に夫々接触接続される信号用コンタクトとして設けられているが、他のフレキシブル印刷配線基板における複数の信号接触端子部及び接地接続部に接触接続される信号用及び接地用コンタクトとして用いられても良い。
【００３８】
複数の第１のコンタクト１４の夫々は、図６に示されるように、ハウジング１１に固定された固定部２０と固定部２０から屈曲して伸びる可動片持ちビーム部２１とを有している。固定部２０には、ハウジング１１の正面側端部側においてハウジング１１の外部に臨む接続端子部２０ａが形成されており、接続端子部２０ａは、ハウジング１１が配された配線基板に設けられた配線端子に、例えば、半田付けにより接続される。また、可動片持ちビーム部２１には、その先端部分に接点部２１ａが形成されており、接点部２１ａは、板状部材差込み部１２からハウジング１１の内部へと伸びている板状部材収容空間内に位置するものとされる。そして、複数の第１のコンタクト１４の夫々は、例えば、図３に示されるハウジング１１の正面側端部側から、ハウジング１１の内部へと押圧挿入されて固定される。
【００３９】
また、複数の第２のコンタクト１５の夫々も、図７に示されるように、ハウジング１１に固定された固定部２２と固定部２２から屈曲して伸びる可動片持ちビーム部２３とを有している。固定部２２には、ハウジング１１の背面側端部側においてハウジング１１の外部に臨む接続端子部２２ａが形成されており、接続端子部２２ａは、ハウジング１１が配された配線基板に設けられた配線端子に、例えば、半田付けにより接続される。また、可動片持ちビーム部２３には、その先端部分に接点部２３ａが形成されており、接点部２３ａは、板状部材差込み部１２からハウジング１１の内部へと伸びている板状部材収容空間内に位置するものとされる。そして、複数の第２のコンタクト１５の夫々は、例えば、ハウジング１１の正面側端部に対向するハウジング１１の背面側端部側から、ハウジング１１の内部へと押圧挿入されて固定される。
【００４０】
上述のような複数の第１のコンタクト１４の夫々と複数の第２のコンタクト１５の夫々とは、第１のコンタクト１４における可動片持ちビーム部２１の先端部分に形成された接点部２１ａ及び第２のコンタクト１５における可動片持ちビーム部２３の先端部分に形成された接点部２３ａが、ハウジング１１内においてハウジング１１に対するフレキシブル印刷配線基板１３の差込み方向の位置を異にするものとされている。即ち、図６及び図７に示されるように、第１のコンタクト１４における接点部２１ａが、第２のコンタクト１５における接点部２３ａより、板状部材差込み部１２が設けられたハウジング１１の正面側端部に近接した位置に配されている。
【００４１】
そして、図５に示されるように、フレキシブル印刷配線基板１３が板状部材差込み部１２を通じてハウジング１１に差し込まれたときには、第１のコンタクト１４における接点部２１ａが、ハウジング１１に差し込まれたフレキシブル印刷配線基板１３における対応する第１の接触端子部１６の広幅先端部１６ａに当接し、それにより、複数の第１のコンタクト１４がフレキシブル印刷配線基板１３における対応する複数の第１の接触端子部１６に夫々接触接続されるとともに、第２のコンタクト１５における接点部２３ａが、ハウジング１１に差し込まれたフレキシブル印刷配線基板１３における対応する第２の接触端子部１７の広幅先端部１７ａに当接し、それにより、複数の第２のコンタクト１５がフレキシブル印刷配線基板１３における対応する複数の第２の接触端子部１７に夫々接触接続される。その結果、ハウジング１１に差し込まれたフレキシブル印刷配線基板１３における複数の第１の接触端子部１６及び複数の第２の接触端子部１７が、複数の第１のコンタクト１４を及び複数の第２のコンタクト１５を介して、ハウジング１１が配された配線基板に設けられた配線端子に電気的に接続される。
【００４２】
また、コネクタ装置１０は、図４に示されるように、ハウジング１１におけるその長手方向、即ち、複数の第１のコンタクト１４及び複数の第２のコンタクト１５の配列方向（以下、コンタクト配列方向という。）の中央部分に配された、例えば、金属材料によって一体形成された係合部材２５を備えている。ハウジング１１におけるコンタクト配列方向の中央部分は、ハウジング１１におけるコンタクト配列方向の両端部に挟まれた部分であって、厳密な意味での中央とその周辺を含んでいる。そして、係合部材２５は、フレキシブル印刷配線基板１３が板状部材差込み部１２を通じてハウジング１１に差し込まれたとき、フレキシブル印刷配線基板１３に対する係止を行う係止状態とその係止を解除する係止解除状態とを選択的にとるためのものとして設けられている。
【００４３】
図８は、係合部材２５を単体にて示す。図８に示される係合部材２５は、例えば、弾性金属板材に打抜き屈曲加工が施されて形成され、ハウジング１１に固定される基部２６と基部２６から伸びる弾性を具えた可動アーム状部２７と基部２６から伸びて可動アーム状部２７に対向する弾性を具えた可動屈曲部２８とを有している。
【００４４】
可動アーム状部２７には、板状部材差込み部１２を通じてハウジング１１に差し込まれたフレキシブル印刷配線基板１３における係合部を成す透孔１９に係合して、フレキシブル印刷配線基板１３を係止する状態をとる係止部２９と、可動アーム状部２７の先端部側部分を成すものとして係止部２９から伸び、係止部２９にフレキシブル印刷配線基板１３における透孔１９との係合を解除させる状態をとる係止解除部３０とが形成されている。また、可動屈曲部２８には、板状部材差込み部１２を通じてハウジング１１に差し込まれたフレキシブル印刷配線基板１３を板状部材差込み部１２側へと押圧すべく当該フレキシブル印刷配線基板１３に当接する状態をとる当接部分３１が形成されている。
【００４５】
係合部材２５は、図９に示されるようにしてハウジング１１に取り付けられる。図９においては、係合部材２５の基部２６が、ハウジング１１の背面側端部側の部分に固定されており、また、基部２６から伸びる可動アーム状部２７が、それに形成された係止部２９及び係止解除部３０を板状部材差込み部１２からハウジング１１の内部へと伸びている板状部材収容空間内に位置させており、さらに、基部２６から伸びる可動屈曲部２８が、それに形成された当接部分３１を、ハウジング１１における天板部１１ｂの内側に形成された段部１１ｃに当接させて段部１１ｃにより位置規制されたものとしている。
【００４６】
ハウジング１１の底板部１１ａには、図４にも示されるように、そのコンタクト配列方向の中央部分に透孔３５が形成されており、係合部材２５における可動アーム状部２７の係止部２９及び係止解除部３０が形成された部分が透孔３５に対応する位置に配されている。また、ハウジング１１の天板部１１ｂには、図１，図２及び図５にも示されるように、そのコンタクト配列方向の中央部分に透孔３６が形成されており、係合部材２５における可動アーム状部２７に形成された係止解除部３０が透孔３６に対応する位置に配されている。これらの底板部１１ａに形成された透孔３５と天板部１１ｂに形成された透孔３６とは、両者をもってハウジング１１に設けられた貫通孔部を構成している。ハウジング１１の底板部１１ａのコンタクト配列方向の中央部分は、ハウジング１１の底板部１１ａのコンタクト配列方向の両端部に挟まれた部分であって、厳密な意味での中央とその周辺を含んでいる。同様に、ハウジング１１の天板部１１ｂのコンタクト配列方向の中央部分は、ハウジング１１の天板部１１ｂのコンタクト配列方向の両端部に挟まれた部分であって、厳密な意味での中央とその周辺を含んでいる。
【００４７】
係合部材２５における可動アーム状部２７に形成された係止部２９は、板状部材差込み部１２を通じたハウジング１１へのフレキシブル印刷配線基板１３の差込み方向に沿って上昇傾斜することになる傾斜面２９ａを有している。フレキシブル印刷配線基板１３が板状部材差込み部１２を通じてハウジング１１に差し込まれたとき、係止部２９が形成する傾斜面２９ａは、それに当接するフレキシブル印刷配線基板１３の先端部を係止部２９を乗り越させるように案内する。
【００４８】
図５，図６及び図７に示される如くに、フレキシブル印刷配線基板１３が板状部材差込み部１２を通じてハウジング１１に差し込まれた状態が得られるにあたっては、先ず、図９に示されるように、フレキシブル印刷配線基板１３が、コネクタ装置１０のハウジング１１に、その正面側端面部に設けられた板状部材差込み部１２を通じて差し込まれたものとされる。
【００４９】
このようにフレキシブル印刷配線基板１３がコネクタ装置１０のハウジング１１に差し込まれるにあたっては、先ず、フレキシブル印刷配線基板１３が、図９に示されるように、それにおける複数の第１の接触端子部１６及び複数の第２の接触端子部１７が配列配置された平板状部１８が、コネクタ装置１０のハウジング１１の正面側端部に設けられた板状部材差込み部１２に、端子配列方向がハウジング１１の長手方向、即ち、コンタクト配列方向に沿うものとなる状態をもって差し込まれるものとされる。
【００５０】
次に、図１０に示されるように、フレキシブル印刷配線基板１３が、板状部材差込み部１２を通じてハウジング１１内にさらに差し込まれ、それにより、フレキシブル印刷配線基板１３における平板状部１８が板状部材収容空間内における予め設定された位置に到達する。その際、フレキシブル印刷配線基板１３における平板状部１８における透孔１９より外側（端縁部分）の部分が、係合部材２５の可動アーム状部２７に形成された係止部２９が有する傾斜面２９ａに当接して係止部２９を押圧し、当該係止部２９をハウジング１１の底板部１１ａに形成された透孔３５側へと弾性変位させ、その後、係止部２９を乗り越える。それにより、係止部２９が、フレキシブル印刷配線基板１３における平板状部１８による押圧から解放され、自らの弾性によって元の位置に復元して、図１０に示されるように、フレキシブル印刷配線基板１３における平板状部１８に形成された透孔１９に係合し、フレキシブル印刷配線基板１３を係止する。
【００５１】
このようにして、係止部２９によってハウジング１１に差し込まれたフレキシブル印刷配線基板１３が係止される状態が得られると、フレキシブル印刷配線基板１３は、ハウジング１１内における正規の差込み位置に達して、係止部２９が形成された可動アーム状部２７を備えた係合部材２５によって係止されたことになり、ハウジング１１からの不所望な抜脱が阻止される状態におかれる。即ち、フレキシブル印刷配線基板１３は、ハウジング１１に板状部材差込み部１２を通じて適正に差し込まれるだけで、係合部材２５により係止されてハウジング１１からの不所望な抜脱が阻止される状態におかれることになる。
【００５２】
斯かる際、係合部材２５における可動屈曲部２８は、図１０に示されるように、それに形成された当接部分３１がフレキシブル印刷配線基板１３における平板状部１８の端縁部分に当接した状態をもって、フレキシブル印刷配線基板１３によってそのハウジング１１に対する差込み方向に弾性圧縮された状態におかれる。それにより、フレキシブル印刷配線基板１３は、可動屈曲部２８における当接部分３１から板状部材差込み部１２に向かう方向の押圧力を受けるが、係止部２９が透孔１９に係合してフレキシブル印刷配線基板１３を係止しているので、フレキシブル印刷配線基板１３が板状部材差込み部１２から押し出されてしまうことはない。
【００５３】
このようにして、フレキシブル印刷配線基板１３がハウジング１１への板状部材差込み部１２を通じての差込を完了して正規の差込み位置をとるもとにおいては、ハウジング１１に配列配置された複数の第１のコンタクト１４が、各々の可動片持ちビーム部２１の先端部分に形成された接点部２１ａをハウジング１１に差し込まれたフレキシブル印刷配線基板１３の平板状部１８に配された複数の第１の接触端子部１６における広幅先端部１６ａに夫々弾性当接させて、複数の第１の接触端子部１６に夫々接触接続された状態におかれ、また、ハウジング１１に配列配置された複数の第２のコンタクト１５が、各々の可動片持ちビーム部２３の先端部分に形成された接点部２３ａをハウジング１１に差し込まれたフレキシブル印刷配線基板１３の平板状部１８に配された複数の第２の接触端子部１７における広幅先端部１７ａに夫々弾性当接させて、複数の第２の接触端子部１７に夫々接触接続された状態におかれる。それにより、ハウジング１１に差し込まれたフレキシブル印刷配線基板１３における複数の第１及び第２の接触端子部１６及び１７が、複数の第１及び第２のコンタクト１４及び１５を介して、ハウジング１１が配された配線基板に設けられた配線端子に電気的に接続される。斯かる状態は、フレキシブル印刷配線基板１３がハウジング１１に板状部材差込み部１２を通じて適正に差し込まれるだけで得られる。
【００５４】
その後、図１１に示されるように、ハウジング１１に設けられた貫通孔部を構成する、ハウジング１１の天板部１１ｂに形成された透孔３６を通じて、押圧部材４０がハウジング１１内に配され、その押圧部材４０の先端部分によって、係合部材２５における可動アーム状部２７に係止部２９と共に形成された係止解除部３０がハウジング１１の底板部１１ａ側へと押圧されると、係止解除部３０が係止部２９を伴って変位し、ハウジング１１に設けられた貫通孔部を構成する、ハウジング１１の底板部１１ａに形成された透孔３５内に押し込まれる。それにより、透孔３５内に押し込まれた係止解除部３０は、係止解除部３０に伴って変位した係止部２９に、フレキシブル印刷配線基板１３における平板状部１８に形成された透孔１９との係合を解除し、フレキシブル印刷配線基板１３に対する係止を解除する状態をとらせる。
【００５５】
それにより、フレキシブル印刷配線基板１３は、係止部２９による係止状態から解放されることになる。フレキシブル印刷配線基板１３が係止部２９による係止状態から解放されると、係合部材２５の可動屈曲部２８が板状部材差込み部１２に向かって伸長変位し、係止部２９による係止状態から解放されたフレキシブル印刷配線基板１３は、板状部材差込み部１２に向かって伸長変位する可動屈曲部２８の当接部分３１から受ける板状部材差込み部１２に向かう方向の押圧力によって、板状部材差込み部１２を通じてハウジング１１の外方へと移動する。そして、図１１に示されるように、フレキシブル印刷配線基板１３の平板状部１８に形成された透孔１９の一端がハウジング１１内に差し込また押圧部材４０に当接する状態が得られ、それによりフレキシブル印刷配線基板１３は、その移動が制止されて位置規制される。また、可動屈曲部２８の当接部分３１は、ハウジング１１における天板部１１ｂの内側に形成された段部１１ｃに当接して位置規制され、それ以上フレキシブル印刷配線基板１３に押圧力を作用させない状態におかれる。
【００５６】
その後、押圧部材４０がハウジング１１内から透孔３６を通じて抜去されると、係合部材２５の可動屈曲部２８により板状部材差込み部１２を通じてハウジング１１の外方へと移動せしめられたフレキシブル印刷配線基板１３が、ハウジング１１から抜去され得るものとされる。フレキシブル印刷配線基板１３がハウジング１１から抜去されると、係合部材２５の可動アーム状部２７は、自らの弾性によって、ハウジング１１における天板部１１ｂに向かって復元変位し、元の位置に復帰する。
【００５７】
上述のようなコネクタ装置１０にあっては、ハウジング１１にそれに設けられた板状部材差込み部１２を通じて差し込まれたフレキシブル印刷配線基板１３に対しての、ハウジング１１からの不所望な抜脱を阻止するための係止、及び、ハウジング１１からの抜出しを可能とするための係止の解除を行うにあたり、例えば、ハウジング１１におけるコンタクト配列方向の両側部に設けられる一対の係止手段及び一対の係止解除手段等が不要とされ、それに代えて、ハウジング１１におけるコンタクト配列方向の中央部分に、ハウジング１１に差し込まれたフレキシブル印刷配線基板１３に対する係止を行う係止状態と係止を解除する係止解除状態とを選択的にとる係合部材２５が配される。しかも、係合部材２５は、係止手段及び係止解除手段の両方の機能を果たす単一の部材とされる。従って、コネクタ装置１０によれば、構成の簡略化と部品点数の減少とによる製造コストの低減を図ることができるもとで、ハウジング１１に板状部材差込み部１２を通じて差し込まれたフレキシブル印刷配線基板１３に対するハウジング１１からの不所望な抜脱を阻止するための係止及びその係止の解除を、確実かつ容易に行うことができる。
【００５８】
しかも、係合部材２５は、フレキシブル印刷配線基板１３に対する係止を解除する状態をとったときには、係止から解放されたフレキシブル印刷配線基板１３を板状部材差込み部１２側へと押圧してハウジング１１の外方へと移動させる動作も行う。それにより、コネクタ装置１０によれば、構成の簡略化と部品点数の減少とによる製造コストの低減を図ることができるもとで、ハウジング１１に板状部材差込み部１２を通じて差し込まれたフレキシブル印刷配線基板１３のハウジング１１からの抜出しを極めて容易に行うことができる。
【００５９】
また、ハウジング１１に差し込まれたフレキシブル印刷配線基板１３に対しての係止及び係止の解除を行う係合部材２５が、ハウジング１１に固定される基部２６と基部２６から伸びる可動アーム状部２７と基部２６から伸びて可動アーム状部２７に対向する可動屈曲部２８とを有していて、可動アーム状部２７に、板状部材差込み部１２を通じてハウジング１１に差し込まれたフレキシブル印刷配線基板１３における係合部を形成する透孔１９に係合してフレキシブル印刷配線基板１３を係止する係止部２９と、ハウジング１１における貫通孔部を通じてハウジング１１内に配される押圧部材４０よって押圧されて係止部２９を伴って変位し、係止部２９にフレキシブル印刷配線基板１３に対する係止を解除する状態をとらせる係止解除部３０とが形成されているとともに、可動屈曲部２８に、板状部材差込み部１２を通じてハウジング１１に差し込まれたフレキシブル印刷配線基板１３を板状部材差込み部１２側へと押圧すべくフレキシブル印刷配線基板１３に当接する当接部分３１が形成されている。それにより、コネクタ装置１０は、ハウジング１１に差し込まれたフレキシブル印刷配線基板１３に対する係止を行う係止部２９と係止部２９による係止を解除する係止解除部３０とに加え、係止部２９による係止が解除されたフレキシブル印刷配線基板１３をハウジング１１の外方へと移動させるための当接部分３１が一体に形成された、簡単で容易に得ることができる構成を有することになる。
【００６０】
そして、このようなコネクタ装置１０にあっては、フレキシブル印刷配線基板１３をハウジング１１にそれに設けられた板状部材差込み部１２を通じて差し込むだけで、フレキシブル印刷配線基板１３に対しての係合部材２５における係止部２９による係止を行うことができ、それとともに、フレキシブル印刷配線基板１３に対しての係止部２９による係止の解除を、ハウジング１１における貫通孔部を通じてハウジング１１内に配される押圧部材４０よって係止解除部３０を押圧するだけで行うことができるので、フレキシブル印刷配線基板１３に対しての係合部材２５による係止及び係止の解除を極めて簡単な操作によって行うことができるとともに、斯かる操作のために係合部材２５の周囲に格別なスペースを設けることが必要とされない。
【００６１】
さらに、コネクタ装置１０にあっては、係合部材２５が、金属材料によって構成され、可動アーム状部２７及び可動屈曲部２８の夫々が弾性を具えていてハウジング１１に対して弾性変位可能とされるので、係合部材２５による、ハウジング１１に差し込まれたフレキシブル印刷配線基板１３に対する係止部２９による係止，係止部２９による係止の解除、及び、係止部２９による係止が解除されたフレキシブル印刷配線基板１３のハウジング１１からの押出しが、迅速かつ確実に行われる。
【実施例２】
【００６２】
図１２は、本発明に係るコネクタ装置の第２の例を示す。
【００６３】
図１２に示される本発明に係るコネクタ装置の第２の例を成すコネクタ装置５０は、上述の本発明に係るコネクタ装置の第１の例を成すコネクタ装置１０と同様に構成された部分を多々備えており、斯かる部分については、図１２〜図１５においてコネクタ装置１０における対応する部分と共通の符号を付して示し、それらについての重複説明は省略する。
【００６４】
図１２において、コネクタ装置５０は、合成樹脂等の絶縁材料によって形成されたハウジング５１を備えている。ハウジング５１には、その正面側端部に板状部材差込み部５２が設けられており、板状部材差込み部５２からハウジング５１の内部へと板状部材収容空間が伸びている。そして、ハウジング５１には、それに設けられた板状部材差込み部５２を通じて、前述の図１に示される配線板状部材を成すフレキシブル印刷配線基板１３が差し込まれる。
【００６５】
ハウジング５１は、実際の使用時には、例えば、図示が省略されている配線基板に配され、それによりコネクタ装置５０の全体が配線基板に固定されたものとされる。その際、ハウジング５１における正面側端部とそれに対向する背面側端部とに挟まれた一対の対向端面部のうちの一方が配線基板に対接する外面部とされて他方が開放された外面部とされる。以下においては、配線基板に対接するハウジング５１の一対の対向端面部のうちの一方を底板部５１ａといい、それに対向するハウジング５１の一対の対向端面部のうちの他方を天板部５１ｂという。
【００６６】
ハウジング５１には、コネクタ装置１０のハウジング１１と同様に、複数の第１のコンタクト１４と複数の第２のコンタクト１５（図には現れない）とが、ハウジング５１の長手方向（正面に向かって左右方向）に沿って、交互に配列配置されて設けられている。
【００６７】
そして、ハウジング５１の底板部５１ａには、図１３〜図１５に示されるように、そのコンタクト配列方向の中央部分に透孔５３が形成されており、また、ハウジング５１の天板部５１ｂには、そのコンタクト配列方向の中央部分に透孔５４が形成されている。これらの底板部５１ａに形成された透孔５３と天板部５１ｂに形成された透孔５４とは、両者をもってハウジング５１に設けられた貫通孔部を構成している。ハウジング５１の底板部５１ａのコンタクト配列方向の中央部分は、ハウジング５１の底板部５１ａのコンタクト配列方向の両端部に挟まれた部分であって、厳密な意味での中央とその周辺を含んでいる。同様に、ハウジング５１の天板部５１ｂのコンタクト配列方向の中央部分は、ハウジング５１の天板部５１ｂのコンタクト配列方向の両端部に挟まれた部分であって、厳密な意味での中央とその周辺を含んでいる。
【００６８】
また、コネクタ装置５０は、図１３〜図１５に示されるように、ハウジング５１におけるコンタクト配列方向の中央部分に配された、例えば、金属材料によって一体形成された係合部材２５を備えている。ハウジング５１におけるコンタクト配列方向の中央部分は、ハウジング５１におけるコンタクト配列方向の両端部に挟まれた部分であって、厳密な意味での中央とその周辺を含んでいる。係合部材２５は、フレキシブル印刷配線基板１３が板状部材差込み部５２を通じてハウジング５１に差し込まれたとき、フレキシブル印刷配線基板１３に対する係止を行う係止状態とその係止を解除する係止解除状態とを選択的にとるためのものとして設けられている。
【００６９】
係合部材２５は、その基部２６がハウジング５１に固定されており、基部２６から伸びる可動アーム状部２７の係止部２９及び係止解除部３０が形成された部分が、ハウジング５１の底板部５１ａに形成された透孔５３に対応する位置に配されていて、可動アーム状部２７に形成された係止解除部３０が、ハウジング５１の天板部５１ｂに形成された透孔５４に対応する位置に配されている。また、基部２６から伸びる可動屈曲部２８が、それに形成された当接部分３１を、ハウジング５１における天板部５１ｂの内側に形成された段部５１ｃに当接させて段部５１ｃにより位置規制されたものとしている。
【００７０】
さらに、コネクタ装置５０は、ハウジング５１と一体に形成された可動部材を成す押圧部材５５を備えている。押圧部材５５は、ハウジング５１の一部、例えば、天板部５１ｂから変位可能に伸びる弾性を有した操作部５６と、操作部５６から突出して、ハウジング５１の底板部５１ａに形成された透孔５３とハウジング５１の天板部５１ｂに形成された透孔５４とを含むものとしてハウジング５１に設けられた貫通孔部に位置する突起部５７とを有している。突起部５７の先端部分は、テーパー状を成している。そして、操作部５６にそれをハウジング５１の内部に向かって押圧する操作が加えられるとき、突起部５７が、ハウジング５１に設けられた貫通孔部を構成する透孔５４を通じてハウジング５１内を変位するものとされ、その先端部分によって係合部材２５における可動アーム状部２７に形成された係止解除部３０を押圧する。
【００７１】
コネクタ装置５０におけるその他の構成は、前述のコネクタ装置１０における対応する構成と同様とされている。
【００７２】
フレキシブル印刷配線基板１３がコネクタ装置５０のハウジング５１に差し込まれるにあたっては、フレキシブル印刷配線基板１３が、それにおける複数の第１の接触端子部１６及び複数の第２の接触端子部１７が配列配置された平板状部１８が、ハウジング５１の正面側端部に設けられた板状部材差込み部５２を通じてハウジング５１の内部における板状部材収容空間へと、端子配列方向がコンタクト配列方向に沿うものとなる状態をもって差し込まれるものとされる。そして、フレキシブル印刷配線基板１３の平板状部１８は、板状部材収容空間内において、係合部材２５における可動アーム状部２７に形成された係止部２９及び押圧部材５５の突起部５７の先端部分の両者に当接し、係止部２９及び係止解除部３０が形成された可動アーム状部２７をハウジング５１の底板部５１ａ側へと変位させるとともに、押圧部材５５の突起部５７をハウジング５１の天板部５１ｂ側へと変位させて、係止部２９及び突起部５７の先端部分の夫々にフレキシブル印刷配線基板１３のハウジング５１への差込みを妨げない位置をとらせる。
【００７３】
その際、フレキシブル印刷配線基板１３における平板状部１８における透孔１９より外側（端縁部分）の部分が、係合部材２５の可動アーム状部２７に形成された係止部２９が有する傾斜面２９ａに当接して係止部２９を押圧し、図１３に示されるように、当該係止部２９をハウジング５１の底板部５１ａに形成された透孔５３側へと弾性変位させる。そして、その後、フレキシブル印刷配線基板１３における平板状部１８における透孔１９より外側（端縁部分）の部分は、係止部２９を乗り越える。それにより、係止部２９が、フレキシブル印刷配線基板１３における平板状部１８による押圧から解放され、自らの弾性によって元の位置に復元して、図１４に示されるように、フレキシブル印刷配線基板１３における平板状部１８に形成された透孔１９に係合し、フレキシブル印刷配線基板１３を係止する。
【００７４】
このようにして、係止部２９によってハウジング５１に差し込まれたフレキシブル印刷配線基板１３が係止される状態が得られると、フレキシブル印刷配線基板１３は、ハウジング５１内における正規の差込み位置に達して、係止部２９が形成された可動アーム状部２７を備えた係合部材２５によって係止されたことになり、ハウジング５１からの不所望な抜脱が阻止される状態におかれる。即ち、フレキシブル印刷配線基板１３は、ハウジング５１に板状部材差込み部５２を通じて適正に差し込まれるだけで、係合部材２５により係止されてハウジング５１からの不所望な抜脱が阻止される状態におかれることになる。
【００７５】
斯かる際、係合部材２５における可動屈曲部２８は、図１４に示されるように、それに形成された当接部分３１がフレキシブル印刷配線基板１３における平板状部１８の端縁部分に当接した状態をもって、フレキシブル印刷配線基板１３によってそのハウジング５１に対する差込み方向に弾性圧縮された状態におかれる。それにより、フレキシブル印刷配線基板１３は、可動屈曲部２８における当接部分３１から板状部材差込み部５２に向かう方向の押圧力を受けるが、係止部２９が透孔１９に係合してフレキシブル印刷配線基板１３を係止しているので、フレキシブル印刷配線基板１３が板状部材差込み部５２から押し出されてしまうことはない。
【００７６】
このようにして、フレキシブル印刷配線基板１３がハウジング５１への板状部材差込み部５２を通じての差込を完了して正規の差込み位置をとるもとにおいては、ハウジング５１に配列配置された複数の第１のコンタクト１４が、各々の可動片持ちビーム部２１の先端部分に形成された接点部２１ａをハウジング５１に差し込まれたフレキシブル印刷配線基板１３の平板状部１８に配された複数の第１の接触端子部１６における広幅先端部１６ａに夫々弾性当接させて、複数の第１の接触端子部１６に夫々接触接続された状態におかれ、また、ハウジング５１に配列配置された複数の第２のコンタクト１５が、各々の可動片持ちビーム部２３の先端部分に形成された接点部２３ａをハウジング５１に差し込まれたフレキシブル印刷配線基板１３の平板状部１８に配された複数の第２の接触端子部１７における広幅先端部１７ａに夫々弾性当接させて、複数の第２の接触端子部１７に夫々接触接続された状態におかれる。それにより、ハウジング５１に差し込まれたフレキシブル印刷配線基板１３における複数の第１及び第２の接触端子部１６及び１７が、複数の第１及び第２のコンタクト１４及び１５を介して、ハウジング５１が配された配線基板に設けられた配線端子に電気的に接続される。斯かる状態は、フレキシブル印刷配線基板１３がハウジング５１に板状部材差込み部５２を通じて適正に差し込まれるだけで得られる。
【００７７】
その後、図１５に示されるように、ハウジング５１に設けられた押圧部材５５における操作部５６に、それをハウジング５１の内部に向かって押圧する操作が加えられると、操作部５６から突出する突起部５７が、ハウジング５１に設けられた貫通孔部を構成する透孔５４を通じてハウジング５１内を変位し、その先端部分を係合部材２５における可動アーム状部２７に形成された係止解除部３０に当接させて、係止解除部３０をハウジング５１の底板部５１ａ側へと押圧する。それにより、係止解除部３０が係止部２９を伴って変位し、ハウジング５１に設けられた貫通孔部を構成する、ハウジング５１の底板部５１ａに形成された透孔５３内に押し込まれる。それにより、透孔５３内に押し込まれた係止解除部３０は、係止解除部３０に伴って変位した係止部２９に、フレキシブル印刷配線基板１３における平板状部１８に形成された透孔１９との係合を解除し、フレキシブル印刷配線基板１３に対する係止を解除する状態をとらせる。
【００７８】
それにより、フレキシブル印刷配線基板１３は、係止部２９による係止状態から解放されることになる。フレキシブル印刷配線基板１３が係止部２９による係止状態から解放されると、係合部材２５の可動屈曲部２８が板状部材差込み部１２に向かって伸長変位し、係止部２９による係止状態から解放されたフレキシブル印刷配線基板１３は、板状部材差込み部５２に向かって伸長変位する可動屈曲部２８の当接部分３１から受ける板状部材差込み部５２に向かう方向の押圧力によって、板状部材差込み部５２を通じてハウジング５１の外方へと移動する。そして、図１５に示されるように、フレキシブル印刷配線基板１３の平板状部１８に形成された透孔１９の一端がハウジング５１内に位置する押圧部材５５の突起部５７に当接する状態が得られ、それによりフレキシブル印刷配線基板１３は、その移動が制止されて位置規制される。また、可動屈曲部２８の当接部分３１は、ハウジング５１における天板部５１ｂの内側に形成された段部５１ｃに当接して位置規制され、それ以上フレキシブル印刷配線基板１３に押圧力を作用させない状態におかれる。
【００７９】
その後、押圧部材５５に対する操作部５６を押圧する操作が加えられなくなると、操作部５６が自らの弾性によって元の位置に復元し、それに伴って、操作部５６から突出する突起部５７が、そのテーパー状を成す先端部分を係合部材２５における可動アーム状部２７に形成された係止解除部３０から離隔させて、ハウジング５１内の板状部材収容空間内に僅かに残るものとする。それにより、係合部材２５の可動屈曲部２８により板状部材差込み部５２を通じてハウジング５１の外方へと移動せしめられたフレキシブル印刷配線基板１３が、その平板状部１８によって押圧部材５５におけるテーパー状を成す先端部分を有した突起部５７をハウジング５１の天板部５１ｂ側へと変位させつつ、ハウジング５１から抜去され得るものとされる。そして、フレキシブル印刷配線基板１３がハウジング５１から抜去されると、係合部材２５の可動アーム状部２７は、自らの弾性によって、ハウジング５１における天板部５１ｂに向かって復元変位し、元の位置に復帰する。
【００８０】
上述のようなコネクタ装置５０によれば、前述のコネクタ装置１０により得られる作用効果と同様な作用効果が得られ、さらに加えて、コネクタ装置５０にあっては、ハウジング５１における貫通孔部を通じてハウジング５１内に差し込まれる押圧部材５５が、ハウジング５１と一体に形成された可動部材を成すものとされ、例えば、ハウジング５１の天板部５１ｂから変位可能に伸びる操作部５６と、操作部５６から突出してハウジング１１に設けられた貫通孔部に位置する突起部５７とを有したものとされ、操作部５６にそれをハウジング５１の内部に向かって押圧する操作が加えられるとき、突起部５７が貫通孔部を通じてハウジング内を変位して係止解除部３０を押圧するものとされる。それにより、押圧部材５５を含めて一体化されたハウジング５１が備えられることになり、押圧部材５５の押圧によりフレキシブル印刷配線基板１３に対しての係止部２９による係止を解除する操作が、極めて容易かつ確実に行い得るものとされる。
【産業上の利用可能性】
【００８１】
以上のような本発明に係るコネクタ装置は、例えば、フレキシブル印刷配線基板等とされる配線板状部材の配線基板への取付けに用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合部材とを備えたコネクタ装置であって、部品点数を比較的少とする簡単な構成を有していて製造コストの低減を図ることができ、さらに、簡単かつ容易な操作をもって、ハウジングに板状部材差込み部を通じて差し込まれた配線板状部材に対するハウジングからの不所望な抜脱を阻止するための係止及びその係止の解除を確実に行えるものとして、様々な電子機器等に広く適用され得るものである。
【符号の説明】
【００８２】
１０，５０・・・コネクタ装置，  １１，５１・・・ハウジング，  １１ａ，５１ａ・・・底板部，  １１ｂ，５１ｂ・・・天板部，  １１ｃ，５１ｃ・・・段部，  １２，５２・・・板状部材差込み部，  １３・・・フレキシブル印刷配線基板，  １４・・・第１のコンタクト，  １５・・・第２のコンタクト，  １６・・・第１の接触端子部，  １７・・・第２の接触端子部，  １８・・・平板状部，  １９，３５，３６，５３，５４・・・透孔，  ２１，２３・・・可動片持ちビーム部，  ２１ａ，２３ａ・・・接点部，  ２５・・・係合部材，  ２６・・・基部，  ２７・・・可動アーム状部,   ２８・・・可動屈曲部,   ２９・・・係止部，  ３０・・・係止解除部，  ３１・・・当接部分，  ４０，５５・・・押圧部材，  ５６・・・操作部，  ５７・・・突起部
【図１】
0005839196.tif 000002
【図２】
0005839196.tif 000003
【図３】
0005839196.tif 000004
【図４】
0005839196.tif 000005
【図５】
0005839196.tif 000006
【図６】
0005839196.tif 000007
【図７】
0005839196.tif 000008
【図８】
0005839196.tif 000009
【図９】
0005839196.tif 000010
【図１０】
0005839196.tif 000011
【図１１】
0005839196.tif 000012
【図１２】
0005839196.tif 000013
【図１３】
0005839196.tif 000014
【図１４】
0005839196.tif 000015
【図１５】
0005839196.tif 000016